(57)【要約】アナログ放送信号とデジタル放送信号とを選択的に受信する受信装置である。受信装置は、発振部信号を出力する発振部と、発振部から出力された発振部信号と受信信号とからＩＦ（Ｉｎｔｅｒｍｅｄｉａｔｅ  Ｆｒｅｑｕｅｎｃｙ）信号群を出力する周波数変換部と、周波数変換部の出力側に接続されたフィルタ部と、発振部から出力された発振部信号の周波数を制御する制御部とを備える。制御部は、デジタル放送信号を受信する場合、発振部信号の周波数を受信周波数帯の内側に制御し、アナログ放送信号を受信する場合、発振部信号の周波数を受信周波数帯の外側に制御する。この構成により、アナログ放送信号受信時における受信品質を向上させることができる。
2009128267.tif 000002
【特許請求の範囲】
【請求項１】
アナログ放送信号とデジタル放送信号とを選択的に受信する受信装置であって、
発振部信号を出力する発振部と、
前記発振部から出力された前記発振部信号と受信信号とからＩＦ信号群を出力する周波数変換部と、
前記周波数変換部の出力側に接続されたフィルタ部と、
前記発振部から出力される前記発振部信号の周波数を制御する制御部とを備え、
前記制御部は、
前記デジタル放送信号を受信する場合、前記発振部信号の周波数を受信周波数帯の内側に制御し、
前記アナログ放送信号を受信する場合、前記発振部信号の周波数を前記受信周波数帯より外側に制御する受信装置。
【請求項２】
前記発振部は、
互いに直交する位相を有する第１ローカル信号および第２ローカル信号からなる前記発振部信号を出力し、
前記周波数変換部は、第１ＩＦ信号および第２ＩＦ信号からなる前記ＩＦ信号群を出力し、
前記周波数変換部は、
前記発振部から出力された第１ローカル信号を用いて受信信号を前記第１ＩＦ信号に変換する第１周波数変換器と、
前記発振部から出力された第２ローカル信号を用いて前記受信信号を前記第２ＩＦ信号に変換する第２周波数変換器とを有し、
前記フィルタ部は、
前記第１周波数変換器の出力側に接続された第１フィルタと、
前記第２周波数変換器の出力側に接続された第２フィルタとを有する請求項１に記載の受信装置。
【請求項３】
前記第１フィルタおよび前記第２フィルタは、前記制御部の制御によりカットオフ周波数を制御され、
前記デジタル放送信号を受信する場合、前記制御部は、前記第１フィルタおよび前記第２フィルタのカットオフ周波数を第１周波数に制御し、
前記アナログ放送信号を受信する場合、前記制御部は、前記第１フィルタおよび前記第２フィルタのカットオフ周波数を前記第１周波数より高い第２周波数に制御する請求項２に記載の受信装置。
【請求項４】
前記アナログ放送信号を受信する場合、前記制御部は、前記第１ローカル信号および前記第２ローカル信号の周波数を隣接周波数帯に制御する請求項２に記載の受信装置。
【請求項５】
前記アナログ放送信号を受信する場合、前記制御部は、前記第１ローカル信号および前記第２ローカル信号の周波数を前記受信周波数帯の映像搬送波周波数に近い方の前記受信周波数帯より外側に制御する請求項２に記載の受信装置。
【請求項６】
前記デジタル放送信号を受信する場合、前記制御部は、前記第１ローカル信号および前記第２ローカル信号の周波数を前記受信周波数帯の中心周波数に制御する請求項２に記載の受信装置。
【請求項７】
前記第１フィルタから出力された信号と前記第２フィルタから出力された信号のいずれか一方もしくは両方を移相し合成する移相合成部をさらに備えた請求項２に記載の受信装置。
【請求項８】
前記第１フィルタの出力側に接続された第１信号出力端子と、前記第２フィルタの出力側に接続された第２信号出力端子とをさらに備え、デジタル放送信号を受信する場合、前記第１フィルタの出力信号を前記第１信号出力端子から出力すると共に、前記第２フィルタの出力信号を前記第２信号出力端子から出力する請求項７に記載の受信装置。
【請求項９】
前記フィルタ部の出力側に接続された他の周波数変換部をさらに有し、
前記発振部は、
基準信号を出力する基準発振器と、前記基準発振器に接続され分周逓倍部を有する位相同期回路部とからなり、
前記基準信号を基に前記発振部信号を出力するとともに、前記基準信号を基に前記分周逓倍部で分周または逓倍した他の発振部信号を出力し、
前記他の周波数変換部は、前記フィルタ部から出力された信号と前記他の発振部信号とから他のＩＦ信号群を出力する請求項１に記載の受信装置。
【請求項１０】
前記位相同期回路部は、前記基準信号が入力される比較部と、
前記比較部の出力側に接続され前記発振部信号を出力する発振器と、
前記発振器の出力と前記比較部の他の入力との間に接続された分周部とを備え、
前記分周逓倍部は、前記発振器と前記他の周波数変換部との間に接続された請求項９に記載の受信装置。
【請求項１１】
前記位相同期回路部は、前記基準信号が入力される比較部と、
前記比較部の出力側に接続され前記発振部信号を出力する発振器と、
前記比較部の他の入力に接続された分周部とを備え、
前記分周逓倍部は、前記発振器と前記分周部との間に接続された請求項９に記載の受信装置。
【請求項１２】
前記基準信号の周波数は前記他のＩＦ信号群の周波数より低い請求項９に記載の受信装置。
【請求項１３】
前記基準発振器と前記比較部との間に接続され、前記基準発振器から出力された信号を分周して前記他のＩＦ信号群の周波数より低い周波数の基準信号を前記比較部に出力する基準発振分周部をさらに備えた請求項１２に記載の受信装置。
【請求項１４】
前記周波数変換部は、前記発振部信号に基いてを互いに直交する位相を有する第１ローカル信号および第２ローカル信号を出力する移相器と、
前記第１ローカル信号を用いて受信信号を第１ＩＦ信号に変換する第１周波数変換器と、
前記第２ローカル信号を用いて前記受信信号を第２ＩＦ信号に変換する第２周波数変換器とを有し、
前記フィルタ部は、
前記第１周波数変換器の出力側に接続された第１フィルタと、
前記第２周波数変換器の出力側に接続された第２フィルタとを有する請求項９に記載の受信装置。
【請求項１５】
前記他の周波数変換部は、
前記他の発振部信号に基づいて互いに直交する位相を有する第３ローカル信号および第４ローカル信号を出力する移相器と、
前記第１フィルタから出力された信号と前記第３ローカル信号とから前記第３ＩＦ信号に変換する第３周波数変換器と、
前記第２フィルタから出力された信号と前記第４ローカル信号とから前記第４ＩＦ信号を出力する第４周波数変換器とを有し、
前記第３ＩＦ信号および前記第４ＩＦ信号からなる前記他のＩＦ信号群を出力する請求項１４に記載の受信装置。
【請求項１６】
請求項１に記載の受信装置と、
前記受信装置の出力側に接続された復調部と、
前記復調部の出力側に接続された復号部と、
前記復号部の出力側に接続された表示部とを備えた電子機器。
【発明の詳細な説明】
【技術分野】
【０００１】
本発明は、アナログ放送信号とデジタル放送信号とを選択的に受信する受信装置とこれを用いた電子機器に関する。
【背景技術】
【０００２】
以下、特許文献１に開示された従来の受信装置を、図１１を用いて説明する。図１１は従来の受信装置のブロック図である。図１１において、従来の受信装置１は、アナログ放送信号と、デジタル放送信号とを選択的に受信する受信装置である。この受信装置１は、アンテナ（図示せず）に接続された入力端子２と、アップコンバート用発振部３の入力に基づいて入力端子２からの入力信号の周波数をアップコンバートする周波数変換部４とを備えている。さらに、受信装置１は、周波数変換部４の出力側に接続されたフィルタ５と、実質的に互いに直交する位相を有する第１ローカル信号と第２ローカル信号を出力する発振部６とを備えている。さらに、受信装置１は、発振部６から出力された第１ローカル信号を用いてフィルタ５からの出力信号をベースバンド信号若しくはＩＦ（Ｉｎｔｅｒｍｅｄｉａｔｅ  Ｆｒｅｑｕｅｎｃｙ）信号にダウンコンバートする第１周波数変換部７を備えている。さらに、受信装置１は、発振部６から出力された第２ローカル信号を用いて受信信号をベースバンド信号若しくはＩＦ信号にダウンコンバートする第２周波数変換部８を備えている。さらに、受信装置１は、第１周波数変換部７から出力された信号と第２周波数変換部８から出力された信号の一方を移相し合成する移相合成部９と、移相合成部９の出力側に接続されたＩＦ信号出力端子１０とを備える。【０００３】
また、受信装置１は、第１周波数変換部７と移相合成部９との間に接続されたＩ信号出力端子１１と、第２周波数変換部８と移相合成部９との間に接続されたＱ信号出力端子１２とを備えている。さらに、受信装置１は、発振部６から出力される第１ローカル信号および第２ローカル信号の周波数を制御する制御部１３を備えている。制御部１３は、デジタル放送信号を受信する場合、第１ローカル信号および第２ローカル信号の周波数を受信周波数帯の中心周波数に制御する。これにより、制御部１３は、Ｉ信号出力端子１１からベースバンド信号であるＩ信号を出力させると共に、Ｑ信号出力端子１２からベースバンド信号であるＱ信号を出力させる。一方、受信装置１は、アナログ放送信号を受信する場合、第１ローカル信号および第２ローカル信号の周波数を受信周波数帯の中心周波数±ＩＦ周波数に制御し、ＩＦ信号出力端子１０からＩＦ信号を出力させる。【０００４】
この構成により、アナログ放送信号とデジタル放送信号とを選択的に受信する受信装置１において、イメージ妨害信号を除去することができる。【０００５】
しかし、図１１に示す従来の受信装置１は、アナログ放送信号を受信する場合に、第１周波数変換部および第２周波数変換部７、８で発生するイメージ信号を除去するために、フィルタ５を用いていた。さらに、隣接妨害信号を除去するために、アナログ放送信号を受信する場合は、ＩＦ信号出力端子１０の後段に接続されたＩＦバンドパスフィルタ（図示せず）を用いていた。また、隣接妨害信号を除去するために、デジタル放送信号を受信する場合は、Ｉ信号出力端子１１の後段に接続されたＩ信号ローパスフィルタ（図示せず）と、Ｑ信号出力端子１２の後段に接続されたＱ信号ローパスフィルタ（図示せず）を用いていた。【０００６】
ただ、アナログ放送信号を受信する場合に、隣接妨害信号を除去するために、ＩＦ信号出力端子１０の後段に接続されたＩＦバンドパスフィルタの減衰量特性を急峻にする必要があった。しかし、ＩＦバンドパスフィルタの減衰量特性を急峻にすればするほど、例えば、ＩＦバンドパスフィルタのリップル特性やグループディレイ特性などが劣化するという問題があった。その結果、受信装置の受信品質が劣化するという問題があった。
【特許文献１】特開平８−１３０６９０号公報
【発明の開示】
【０００７】
本発明は、アナログ放送信号とデジタル放送信号とを選択的に受信する受信装置において、アナログ放送信号受信時における受信品質を向上させるものである。
【０００８】
本発明の受信装置は、アナログ放送信号とデジタル放送信号とを選択的に受信する受信装置である。本発明の受信装置は、発振部信号を出力する発振部と、発振部から出力された発振部信号と受信信号とからＩＦ信号群を出力する周波数変換部と、周波数変換部の出力側に接続されたフィルタ部と、発振部から出力された発振部信号の周波数を制御する制御部とを備える。さらに、本発明の受信装置は、制御部は、デジタル放送信号を受信する場合、発振部信号の周波数を受信周波数帯の内側に制御し、アナログ放送信号を受信する場合、発振部信号の周波数を受信周波数帯より外側に制御する。
【０００９】
かかる構成により、本発明は、アナログ放送信号受信時における受信品質を向上させることができる。
【図面の簡単な説明】
【００１０】
【図１】図１は、本発明の実施の形態１における受信装置のブロック図である。
【図２】図２は、同実施の形態における受信装置の説明図である。
【図３】図３は、同実施の形態における受信装置の説明図である。
【図４】図４は、同実施の形態における他の受信装置のブロック図である。
【図５】図５は、本発明の実施の形態２における受信装置のブロック図である。
【図６】図６は、同実施の形態における他の受信装置のブロック図である。
【図７】図７は、同実施の形態の受信装置におけるＰＬＬのブロック図である。
【図８】図８は、同実施の形態の受信装置における他のＰＬＬのブロック図である。
【図９】図９は、同実施の形態の受信装置における別のＰＬＬのブロック図である。
【図１０】図１０は、本発明の実施の形態３における電子機器のブロック図である。
【図１１】図１１は、従来の受信装置のブロック図である。
【符号の説明】
【００１１】
１４，１１４    受信装置
１５，１１５    入力端子
１６，１４８    発振器
１６Ａ，１１６Ａ    発振部
１７，１１７，１４１    移相器
１８，１１８    第１周波数変換器
１９，１１９    第１フィルタ
２０，１２０    第２周波数変換器
２１，１２１    第２フィルタ
２２，１２２    移相合成部
２３，１２３    出力端子
２４，１２４    制御部
３４，３５，１３４，１３５    ＡＤコンバータ
３６，１３６    ＤＡコンバータ
１１６    位相同期回路部
１３７    基準発振器
１３８    第１混合部
１３９    フィルタ部
１４０    第２混合部
１４２    第３周波数変換器
１４３    第４周波数変換器
１４４，１４４Ａ，１４４Ｂ    分周逓倍部
１４６    比較部
１４７    ループフィルタ
１４９，１５１    発振部信号出力端子
１５０Ａ，１５０Ｂ    分周部
１５４    基準発振分周部
２０１    電子機器
２０２    復調部
２０３    復号部
２０４    表示部
【発明を実施するための最良の形態】
【００１２】
（実施の形態１）
以下、本発明の実施の形態１における高周波受信装置について図面を用いて以下説明する。図１は本発明の実施の形態１における受信装置のブロック図である。【００１３】
図１において、受信装置１４は、アナログ放送信号と、デジタル放送信号とを選択的に受信する受信装置である。受信装置１４は、受信信号が入力される入力端子１５と、発振信号を出力する発振器１６と、発振器１６の出力信号を用いて実質的に互いに直交する位相を有する第１ローカル信号と第２ローカル信号とを出力する移相器１７とを備える。また、受信装置１４は、移相器１７から出力された第１ローカル信号を用いて、入力端子１５に入力された受信信号を直流信号又は直流信号付近の周波数が低い信号（以下、ベースバンド信号とする）である第１ＩＦ信号にダウンコンバートする第１周波数変換器１８を備える。また、受信装置１４は、第１周波数変換器１８の出力側に接続された第１フィルタ１９を備える。また、受信装置１４は、移相器１７から出力された第２ローカル信号を用いて、入力端子１５に入力された受信信号をベースバンド信号である第２ＩＦ信号にダウンコンバートする第２周波数変換器２０を備える。第１ＩＦ信号と第２ＩＦ信号とは、実質的に互いに直交する位相を有している。また、受信装置１４は、第２周波数変換器２０の出力側に接続された第２フィルタ２１を備える。第１フィルタ１９および第２フィルタ２１は、例えば、カットオフ周波数が可変なローパスフィルタである。このように、本実施の形態では、発振器１６と移相器１７とで発振部１６Ａが構成される。また、本実施の形態では、第１ローカル信号と第２ローカル信号とで発振部信号が構成される。また、本実施の形態では、第１周波数変換器１８と第２周波数変換器２０とで周波数変換部が構成される。また、第１ＩＦ信号と第２ＩＦ信号とでＩＦ信号群が構成される。また、第１フィルタ１９と第２フィルタ２１とでフィルタ部が構成される。【００１４】
さらに、受信装置１４は、第１フィルタ１９から出力された信号と第２フィルタ２１から出力された信号のいずれか一方もしくは両方を移相し合成する移相合成部２２を備える。また、受信装置１４は、移相合成部２２の出力側に接続された出力端子２３を備える。なお、受信装置１４は、移相合成部２２と出力端子２３との間に接続されて移相合成部からの出力信号をアップコンバートする第３周波数変換部（図示せず）を備えていても良い。これにより、この第３周波数変換部の出力側に接続されてＳＡＷ（Ｓｕｒｆａｃｅ  Ａｃｏｕｓｔｉｃ  Ｗａｖｅ）フィルタなどからなるＩＦフィルタ（図示せず）を用いて妨害信号を除去する。【００１５】
また、受信装置１４は、第１周波数変換器１８および第２周波数変換器２０の前段または後段に接続されて入力信号を周波数変換する他の周波数変換部（図示せず）と、妨害信号を除去するＳＡＷフィルタなどからなる他のフィルタ（図示せず）とを備えていても良い。【００１６】
さらに、第１フィルタ１９および第２フィルタ２１の特性を補い回路規模や回路電流を削減するために、第１周波数変換器１８および第２周波数変換器２０はフィルタ特性を持つ周波数変換回路から構成されていても良い。さらに、このフィルタ特性をデジタル放送受信時とアナログ放送受信時で可変としてもよい。【００１７】
また、本実施の形態では、第１フィルタ１９および第２フィルタ２１はローパス特性を例に説明したが、アナログ放送信号を受信する場合にバンドパス特性であっても良い。この場合、高域のカットオフ周波数のみを高く制御しても良い。あるいは、低域、高域両方のカットオフ周波数を高く制御しても良い。【００１８】
さらにまた、受信装置１４は、移相器１７から出力される第１ローカル信号および第２ローカル信号の周波数を制御する制御部２４を備える。制御部２４は、受信装置１４がデジタル放送信号を受信する場合、第１ローカル信号および第２ローカル信号の周波数を受信周波数帯の内側に制御する。すなわち、受信周波数帯が６ＭＨｚである場合には、入力端子１５に入力された受信信号の周波数ＲＦと、第１ローカル信号及び第２ローカル信号の周波数Ｌｏの差分の絶対値｜ＲＦ−Ｌｏ｜が６ＭＨｚ以内となるように、制御部２４は発振部１６を制御する。具体的には、制御部２４は、発振部１６が内部に備える位相同期回路部（以下、ＰＬＬ（Ｐｈａｓｅ  Ｌｏｃｋｅｄ  Ｌｏｏｐ）と記す）に対して、分周比を設定することにより、第１ローカル信号及び第２ローカル信号の周波数Ｌｏを制御することができる。これによって、制御部２４は、第１周波数変換器１８からベースバンド信号である第１ＩＦ信号を出力させると共に第２周波数変換器２０からベースバンド信号である第２ＩＦ信号を出力させ、両信号を移相合成部２２で合成させる。一方、受信装置１４がアナログ放送信号を受信する場合、第１ローカル信号および第２ローカル信号の周波数を受信周波数帯より外側（すなわち、受信周波数帯と隣接周波数帯との境界を含まない隣接周波数帯の内側）に制御する。これによって、制御部２４は、第１周波数変換器１８および第２周波数変換器２０から受信周波数帯とローカル信号との差分の周波数の信号を出力させ、両信号を移相合成部２２で合成させる。これにより、アナログ放送信号とデジタル放送信号とを選択的に受信する受信装置１４において、デジタル放送受信時もアナログ放送受信時もイメージ妨害信号を除去することができる。【００１９】
以下、制御部２４の制御について図面を用いて詳述する。まず、受信装置１４がデジタル放送信号を受信する場合について、図２を用いて説明する。図２は、受信信号２５と隣接信号２６の周波数分布を示す図である。受信信号２５は受信周波数帯２７内に存在し、隣接信号２６は隣接周波数帯２８内に存在する。制御部２４は、デジタル放送信号を受信する場合、第１ローカル信号および第２ローカル信号の周波数Ｌｏを受信周波数帯２７の内側に制御する。これにより、第１フィルタ１９および第２フィルタ２１のカットオフ周波数を低くすることができる。その結果、第１フィルタ１９および第２フィルタ２１において隣接信号２６の減衰量が向上する。この隣接信号２６は、例えば、デジタル放送信号やアナログ放送信号である。【００２０】
また、第１ローカル信号および第２ローカル信号の周波数が受信周波数帯２７の中心周波数の場合、第１フィルタ１９および第２フィルタ２１のカットオフ周波数をさらに低くすることができる。その結果、第１フィルタ１９および第２フィルタ２１において隣接信号２６の減衰量がさらに向上する。さらに、デジタル放送信号は、第１周波数変換器１８および第２周波数変換器２０におけるＤＣオフセットスプリアスに対する耐性がアナログ放送信号に比べて高いので、第１ローカル信号および第２ローカル信号の周波数Ｌｏを受信周波数帯２７の内側に設定しても良い。【００２１】
次に、受信装置１４がアナログ放送信号を受信する場合について、図３を用いて説明する。図３は、受信信号２９と隣接信号３０の周波数分布を示す図である。受信信号２９は受信周波数帯３１内に存在し、隣接信号３０は隣接周波数帯３２内に存在する。制御部２４は、アナログ放送信号を受信する場合、第１ローカル信号および第２ローカル信号の周波数Ｌｏを、受信周波数帯３１と隣接周波数帯３２との境界周波数Ｆｅを含まない隣接周波数帯３２に制御する。第１ローカル信号および第２ローカル信号が境界周波数Ｆｅである場合、隣接信号としてデジタル放送信号が存在するとき、イメージ折り返しによるノイズが問題となる。そこで、第１ローカル信号および第２ローカル信号の周波数Ｌｏを受信周波数帯３１と隣接周波数帯３２との境界周波数Ｆｅを含まない隣接周波数帯３２に制御する。このことにより、イメージ折り返しによるノイズ量を低減することが可能となる。また、第１ローカル信号および第２ローカル信号が境界周波数Ｆｅである場合、受信装置を構成する半導体デバイスのバランスの不完全さに起因し直流付近に２次歪みが発生する。そこで、第１ローカル信号および第２ローカル信号の周波数を受信周波数帯３１と隣接周波数帯３２との境界周波数Ｆｅを含まない隣接周波数帯３２に制御することにより、２次歪みによる受信品質劣化を防止することができる。【００２２】
アナログ放送信号は、第１周波数変換器１８および第２周波数変換器２０におけるＤＣオフセットスプリアスに対する耐性がデジタル放送信号に比べて低い。そのため、アナログ放送信号を受信する場合、制御部２４が第１ローカル信号および第２ローカル信号の周波数Ｌｏを受信周波数帯３１の外側に設定することにより、受信品質を向上させることができる。【００２３】
すなわち、アナログ放送信号は、デジタル放送信号に比べ受信信号帯域内スプリアスに対する耐性が弱く、スプリアスが存在する場合は再生映像において妨害として検知されてしまう。それに対して、デジタル放送信号ではスプリアスが存在しても誤り訂正などによりビット誤り率が改善されるため所定以下のスプリアスでは再生映像において妨害として検知されにくい。【００２４】
さらに、アナログ放送受信時において、制御部２４は、第１ローカル信号および第２ローカル信号の周波数を、最大、隣接周波数帯３２の周波数幅分しか受信周波数帯から離さないように制御する。このことにより、第１フィルタ１９および第２フィルタ２１に入力される信号の周波数を低く抑えている。すなわち、アナログ受信時に第１フィルタ１９および第２フィルタ２１のカットオフ周波数を低くすることができる。その結果、ＩＦ信号の出力端子２３の後段に接続されたＩＦバンドパスフィルタ（図示せず）に求められる減衰量特性を緩和することができる。若しくは、このＩＦバンドパスフィルタがなくともアナログ放送受信時において第１フィルタ１９および第２フィルタ２１を用いて十分な隣接妨害除去特性を得ることができる。これにより、アナログ放送信号とデジタル放送信号とを選択的に受信する受信装置の受信品質を向上させることができる。【００２５】
このように、本実施の形態の受信装置１４は、デジタル放送受信時に用いる第１フィルタ１９および第２フィルタ２１を、アナログ放送受信時において妨害信号除去用で用いることができ、受信品質を向上させることができる。【００２６】
また、デジタル放送信号を受信する場合、制御部２４は、第１フィルタ１９および第２フィルタ２１のカットオフ周波数を第１周波数に制御し、アナログ放送信号を受信する場合、第１フィルタ１９および第２フィルタ２１のカットオフ周波数を第１周波数より高い第２周波数に制御しても良い。これにより、デジタル放送信号受信時とアナログ放送受信時それぞれの場合に応じて適切に隣接妨害除去を行うことができる。【００２７】
なお、図３に示すように、受信装置１４がアナログ放送信号を受信する場合、制御部２４は、第１ローカル信号および第２ローカル信号の周波数Ｌｏを受信周波数帯３１より下側の周波数に制御することが望ましい。【００２８】
この理由を以下説明する。一般的に、アナログ放送信号は、周波数の低い方から順に、映像搬送波周波数Ｆｖ、色副搬送波周波数Ｆｃ、音声搬送波周波数Ｆｓを有する。また、音声信号は、第１フィルタ１９および第２フィルタ２１に要求されるリップル特性やグループディレイ特性などが映像信号と比較して低い。そのため、制御部２４は、第１ローカル信号および第２ローカル信号の周波数Ｌｏを受信周波数帯３１の下側に制御することにより、第１フィルタ１９および第２フィルタ２１のカットオフ周波数を低く設定できる。すなわち、第１フィルタ１９および第２フィルタ２１の隣接妨害除去特性を向上させることができる。また、アナログ放送信号が、周波数の低い方から順に、音声搬送波周波数Ｆｓ、色副搬送波周波数Ｆｃ、映像搬送波周波数Ｆｖを有する場合は、逆に、制御部２４は、第１ローカル信号および第２ローカル信号の周波数Ｌｏを、受信周波数帯３１の上側に制御することが望ましい。すなわち、受信装置１４がアナログ放送信号を受信する場合、制御部２４は、第１ローカル信号および第２ローカル信号を受信周波数帯３１の映像搬送波周波数に近い方の受信周波数帯３１の外側に制御する。【００２９】
また、受信装置１４は、第１フィルタ１９と移相合成部２２との間に接続された第１信号出力端子２３Ｉと、第２フィルタ２１と移相合成部２２との間に接続された第２信号出力端子２３Ｑとを備えてもよい。この場合、デジタル放送受信時において、第１信号出力端子２３Ｉから第１フィルタ１９の出力信号である第１ＩＦ信号が出力すると共に、第２信号出力端子２３Ｑから第２フィルタ２１の出力信号である第２ＩＦ信号が出力される。これにより、デジタル放送受信時において、移相合成部２２を用いなくとも良くなり、受信装置１４の消費電力を低減することができる。【００３０】
さらにまた、第１フィルタ１９および第２フィルタ２１はデジタルフィルタであっても良い。この場合、図４に示すように、受信装置１４は、第１周波数変換部１８と第１フィルタ１９との間に接続された第１ＡＤ（Ａｎａｌｏｇ  Ｄｅｇｉｔａｌ）コンバータ３４を備える。さらに、受信装置１４は、第２周波数変換部２０と第２フィルタ２１との間に接続された第２ＡＤコンバータ３５を備える。さらに、受信装置１４は、移相合成部２２と出力端子２３との間に接続されたＤＡ（Ｄｉｇｉｔａｌ  Ａｎａｌｏｇ）コンバータ３６とを備える。第１信号出力端子２３Ｉは第１フィルタ１９の出力側に接続される。同様に、第２信号出力端子２３Ｑは第２フィルタ２１の出力側に接続される。これにより、第１フィルタ１９および第２フィルタ２１を更に小型化することができる。【００３１】
（実施の形態２）
次に、本発明の実施の形態２における位相同期回路部を用いた高周波受信装置について図面を用いて以下に説明する。図５は、本発明の実施の形態２における受信装置のブロック図である。【００３２】
図５において、受信装置１１４は、アナログ放送信号とデジタル放送信号とを選択的に受信する受信装置である。受信装置１１４は、入力端子１１５と、基準発振器１３７から出力された基準信号を基に発振部信号を生成するＰＬＬ１１６とを備える。発振部１１６Ａは基準発振器１３７とＰＬＬ１１６とを含む。さらに、受信装置１１４は、入力端子１１５に入力された受信信号と発振部信号とからＩＦ信号群を出力する第１混合部（周波数変換部）１３８を備える。さらに、受信装置１１４は、第１混合部１３８の出力側に接続されたフィルタ部１３９を備える。さらに、受信装置１１４は、フィルタ部１３９から出力された信号と、ＰＬＬ１１６の分周逓倍部１４４によって発振部信号を分周または逓倍された他の発振部信号とから他のＩＦ信号群を出力する第２混合部（他の周波数変換部）１４０を備える。さらに、受信装置１１４は、ＰＬＬ１１６から出力された第１発振部信号の周波数と第２発振部信号の周波数を制御する制御部１２４を備える。【００３３】
この構成により、第１混合部１３８と第２混合部１４０が２段に接続された構成であっても、それぞれの混合部に対して回路規模の大きい発振部１１６Ａを２つ備える必要がなくなる。すなわち、分周逓倍部１４４を備えることにより、共通の発振部１１６Ａを用いて発振部信号及び他の発振部信号を生成することができ、回路規模を大幅に小さくすることができる。【００３４】
第１混合部１３８は、ＰＬＬ１１６から出力された発振部信号に基づいて、実質的に互いに直交する位相差９０度を有する第１ローカル信号と第２ローカル信号とを出力する移相器１１７を備える。さらに、第１混合部１３８は、移相器１１７から出力された第１ローカル信号を用いて、入力端子１１５に入力された受信信号を第１ＩＦ信号にダウンコンバートする第１周波数変換器１１８を備える。さらに、第１混合部１３８は、移相器１１７から出力された第２ローカル信号を用いて、入力端子１１５に入力された受信信号を第２ＩＦ信号にダウンコンバートする第２周波数変換器１２０を有する。第１ＩＦ信号と第２ＩＦ信号とは、実質的に互いに直交する位相を有している。このように、第１混合部１３８は、第１ＩＦ信号と第２ＩＦ信号とからなるＩＦ信号群を出力する。【００３５】
フィルタ部１３９は、第１周波数変換器１１８の出力側に接続された第１フィルタ１１９と、第２周波数変換器１２０の出力側に接続された第２フィルタ１２１とを備える。第１フィルタ１１９および第２フィルタ１２１は、例えば、カットオフ周波数が可変なローパスフィルタである。【００３６】
第２混合部１４０は、ＰＬＬ１１６から出位相れた信号を第１ＩＦ信号よりも高い周波数を有する第３ＩＦ信号にアップコンバートする第３周波数変換器１４２を備える。さらに、第２混合部１４０は、移相器１４１から出力された第４ローカル信号を用いて、第２フィルタ１２１から出力された信号を第２ＩＦ信号よりも高い周波数を有する第４ＩＦ信号にアップコンバートする第４周波数変換器１４３を備える。このように、第２混合部１４０は、第３ＩＦ信号と第４ＩＦ信号とからなる他のＩＦ信号群を出力する。【００３７】
さらに、受信装置１１４は、第３周波数変換器１４２から出力された第３ＩＦ信号と第４周波数変換器１４３から出力された第４ＩＦ信号のいずれか一方もしくは両方を移相し合成することによりイメージ妨害信号を除去する移相合成部１２２を備える。さらに、受信装置１１４は、移相合成部１２２の出力側に接続された出力端子１２３を備える。なお、受信装置１１４は、出力端子１２３の出力側に接続されたＳＡＷフィルタなどからなるＩＦフィルタ（図示せず）を用いて妨害信号を除去しても良い。【００３８】
さらに、第１フィルタ１１９、第２フィルタ１２１の特性を補い回路規模や回路電流を削減するために、第１周波数変換部１１８および第２周波数変換器１２０は、フィルタ特性を持つ周波数変換回路から構成されていても良い。さらに、このフィルタ特性をデジタル放送受信時とアナログ放送受信時で可変としてもよい。また、本実施の形態では、フィルタ部１３９はローパス特性を例に説明したが、アナログ放送信号を受信する場合にバンドパス特性であっても良い。この場合、高域のカットオフ周波数のみを高く制御しても良いし、あるいは、低域、高域両方のカットオフ周波数を高く制御しても良い。【００３９】
以下、制御部１２４の制御について詳述する。まず、受信装置１１４がデジタル放送信号を受信する場合について説明する。受信装置１１４がデジタル放送信号を受信する場合、制御部１２４は、発振部信号の周波数を受信周波数帯の内側に制御する。また、制御部１２４は、第１周波数変換器１１８から第１ＩＦ信号を出力させると共に、第２周波数変換器１２０から第１ＩＦ信号よりも位相９０度遅れた第２ＩＦ信号を出力させる。そして、制御部１２４は、第１発振部信号を分周または逓倍した他の発振部信号を用いて、第１ＩＦ信号を第１フィルタ１１９で濾波した信号と第２ＩＦ信号を第２フィルタ１２１で濾波した信号を第２混合部１４０でそれぞれ周波数変換させて第３ＩＦ信号および第４ＩＦ信号とする。【００４０】
実施の形態１で説明したのと同様に、制御部１２４は、デジタル放送信号を受信する場合、図２に示す様に、発振部信号の周波数Ｌｏを受信周波数帯２７の内側に制御する。これにより、第１フィルタ１１９および第２フィルタ１２１のカットオフ周波数を低くすることができる。その結果、第１フィルタ１１９および第２フィルタ１２１において隣接信号２６の減衰量が向上する。この隣接信号２６は妨害信号であって、例えば、デジタル放送信号やアナログ放送信号である。【００４１】
また、発振部信号の周波数Ｌｏが受信信号２５、すなわち受信周波数帯２７の中心周波数の場合、第１フィルタ１１９および第２フィルタ１２１のカットオフ周波数をさらに低くすることができる。その結果、第１フィルタ１１９および第２フィルタ１２１において隣接信号２６の減衰量がさらに向上する。さらに、デジタル放送信号は、第１周波数変換器１１８および第２周波数変換器１２０におけるＤＣオフセットスプリアスに対する耐性がアナログ放送信号に比べて高い。そのため、受信信号内にスプリアスが存在しても誤り訂正などによりビット誤り率が改善されて再生映像の乱れが検知されにくい。したがって、発振部信号の周波数Ｌｏを受信周波数帯２７の内側に設定しても良い。【００４２】
次に、受信装置１１４がアナログ放送信号を受信する場合について説明する。受信装置１１４がアナログ放送信号を受信する場合、実施の形態１と同じように、制御部１２４は、第１発振部信号の周波数を受信周波数帯３１より外側（すなわち、受信周波数帯３１と隣接周波数帯３２との境界を含まない隣接周波数帯３２の内側）に制御する。また、制御部１２４は、第１周波数変換器１１８および第２周波数変換器１２０から、受信周波数帯３１と発振部信号との差分となる低周波数のＩＦ信号群（第１ＩＦ信号および第２ＩＦ信号）を出力させる。そして、制御部１２４は、発振部信号を分周または逓倍した他の発振部信号を用いて、ＩＦ信号群を他のＩＦ信号群（第３ＩＦ信号および第４ＩＦ信号）に第２混合部１４０で周波数変換させる。【００４３】
図３に示すように、制御部１２４は、アナログ放送信号を受信する場合、発振部信号の周波数Ｌｏを受信周波数帯３１と隣接周波数帯３２との境界周波数Ｆｅを含まない隣接周波数帯３２に制御する。発振部信号および他の発振部信号が境界周波数Ｆｅである場合、隣接信号としてアナログ信号もしくはデジタル放送信号が存在するとき、イメージ折り返しによるノイズが問題となる。そこで、発振部信号の周波数Ｌｏを受信周波数帯３１と隣接周波数帯３２との境界周波数Ｆｅを含まない隣接周波数帯３２に制御する。このことにより、イメージ折り返しによるノイズ量を低減することが可能となる。また、発振部信号の周波数Ｌｏが境界周波数Ｆｅである場合、受信装置１１４を構成する半導体デバイスのバランスの不完全さに起因しＤＣ付近に２次歪みが発生する。そこで、発振部信号の周波数Ｌｏを受信周波数帯３１と隣接周波数帯３２との境界周波数Ｆｅを含まない隣接周波数帯３２に制御する。このことにより、２次歪みによる受信品質劣化を防止することができるのである。【００４４】
アナログ放送信号は、第１周波数変換器１１８および第２周波数変換器１２０におけるＤＣオフセットスプリアスに対する耐性がデジタル放送信号に比べて低い。そのため、アナログ放送信号を受信する場合、制御部１２４が発振部信号の周波数Ｌｏを受信周波数帯３１の外側に設定することにより、受信品質を向上させることができる。【００４５】
すなわち、アナログ放送信号は、デジタル放送信号に比べ受信信号帯域内スプリアスに対する耐性が弱く、スプリアスが存在する場合は再生映像において妨害として検知されてしまう。それに対して、デジタル放送信号ではスプリアスが存在しても誤り訂正などによりビット誤り率が改善されるため所定以下のスプリアスでは再生映像において妨害として検知されにくい。【００４６】
さらに、アナログ放送受信時において、制御部１２４は、発振部信号の周波数Ｌｏを、最大でも隣接周波数帯３２の周波数幅分しか受信周波数帯から離さない。このことにより、第１フィルタ１１９および第２フィルタ１２１に入力される信号の周波数を低く抑えている。すなわち、アナログ放送受信時に第１フィルタ１１９および第２フィルタ１２１のカットオフ周波数を低くすることができる。その結果、ＩＦ信号の出力端子１２３の後段に接続されたＩＦバンドパスフィルタ（図示せず）に求められる減衰量特性を緩和することができる。若しくは、このＩＦバンドパスフィルタがなくとも、アナログ放送受信時において第１フィルタ１１９および第２フィルタ１２１を用いて十分な隣接妨害除去特性を得ることができる。これにより、アナログ放送信号とデジタル放送信号とを選択的に受信する受信装置１１４の受信品質を向上させることができる。【００４７】
このように、本実施の形態の受信装置１１４は、デジタル放送受信時に用いる第１フィルタ１１９および第２フィルタ１２１を、アナログ放送受信時において妨害信号除去用で用いることができる。したがって、アナログ放送受信時において受信品質を向上させることができる。【００４８】
また、デジタル放送信号を受信する場合、制御部１２４は、第１フィルタ１１９および第２フィルタ１２１のカットオフ周波数を第１周波数に制御し、アナログ放送信号を受信する場合、第１フィルタ１１９および第２フィルタ１２１のカットオフ周波数を第１周波数より高い第２周波数に制御しても良い。これにより、デジタル放送信号受信時とアナログ放送受信時のそれぞれの場合に応じて適切に隣接妨害除去を行うことができる。【００４９】
なお、図３に示すように、受信装置１１４がアナログ放送信号を受信する場合、制御部１２４は、第１発振部信号の周波数Ｌｏを受信周波数帯３１の下側の周波数に制御することが望ましい。この理由は実施の形態１と同様である。すなわち、一般的に、アナログ放送信号は、周波数の低いほうから順に、映像搬送波周波数Ｆｖ、色副搬送波周波数Ｆｃ、音声搬送波周波数Ｆｓを有する。また、音声信号は、第１フィルタ１１９および第２フィルタ１２１に要求されるリップル特性やグループディレイ特性などが映像信号と比較して低い。そのため、制御部１２４は、第１ローカル信号および第２ローカル信号の周波数を受信周波数帯３１の下側に制御することにより、第１フィルタ１１９および第２フィルタ１２１のカットオフ周波数を低く設定できる。すなわち、第１フィルタ１１９および第２フィルタ１２１の隣接妨害除去特性を向上させることができる。一方、アナログ放送信号が、周波数の低いほうから順に、音声搬送波周波数Ｆｓ、色副搬送波周波数Ｆｃ、映像搬送波周波数Ｆｖを有する場合は、逆に、制御部１２４は、発振部信号の周波数Ｌｏを受信周波数帯３１の上側の周波数に制御することが望ましい。すなわち、受信装置１１４がアナログ放送信号を受信する場合、制御部１２４は、第１ローカル信号および第２ローカル信号を受信周波数帯３１の映像搬送波周波数に近い方の受信周波数帯３１の外側に制御する。【００５０】
また、受信装置１１４は、第３周波数変換器１４２と移相合成部１２２との間に接続された第３信号出力端子１２３Ｉと、第４周波数変換器１４３と移相合成部２２との間に接続された第４信号出力端子１２３Ｑとを備えてもよい。この場合、デジタル放送受信時において、第３信号出力端子１２３Ｉから第３ＩＦ信号が出力すると共に第４信号出力端子１２３Ｑから第４ＩＦ信号が出力する。さらに、受信装置１１４は、第３ＩＦ信号および第４ＩＦ信号が入力されるデジタル復調部（図示せず）を接続しても良い。これにより、デジタル放送受信時において、移相合成部１２２を用いなくとも良くなり、受信装置１１４の消費電力を低減することができる。【００５１】
また、受信装置１１４は２つの混合部を用いて周波数変換を行わず、同一のＰＬＬ１１６から出力された信号を用いて行っている。このことにより、受信装置を小型化することができる。【００５２】
本実施の形態の第１フィルタ１１９および第２フィルタ１２１はデジタルフィルタであっても良い。この場合、図６に示すように、受信装置１１４は、第１周波数変換器１１８と第１フィルタ１１９との間に接続された第１ＡＤコンバータ１３４を備える。さらに、受信装置１１４は、第２周波数変換器１２０と第２フィルタ１２１との間に接続された第２ＡＤコンバータ１３５を備える。さらに、受信装置１１４は、移相合成部１２２と出力端子１２３との間に接続されたＤＡコンバータ１３６を備える。これにより、第１フィルタ１１９および第２フィルタ１２１をより微細な半導体プロセスを用いた能動素子で構成することができるので、更に小型化することができる。【００５３】
次に、ＰＬＬ１１６の構成を図７〜図９を用いて説明する。図７において、ＰＬＬ１１６は、基準信号が入力される比較部１４６と、比較部１４６の出力側に接続されたループフィルタ１４７とを備える。さらに、ＰＬＬ１１６は、ループフィルタ１４７の出力側に接続される発振器１４８を備える。発振器１４８は、発振部信号を生成してこの発振部信号を発振部信号出力端子１４９を介して第１混合部１３８に出力する。さらに、ＰＬＬ１１６は、発振器１４８の他の出力と比較部１４６の他の入力との間に接続された分周部１５０Ａを備える。さらに、ＰＬＬ１１６は、発振器１４８と第２混合部１４０との間に接続された分周逓倍部１４４Ａを備える。分周逓倍部１４４Ａは、発振部信号を分周または逓倍した他の発振部信号を発振部信号出力端子１５１を介して第２混合部１４０に出力する。なお、分周部１５０Ａに設定される分周比Ｍ（Ｍは整数または少数）と分周逓倍部１４４Ａに設定される分周逓倍比Ｐ（Ｐは整数または少数）は制御部１２４から制御される。【００５４】
この構成において、基準信号の周波数をｆＲＥＦ、発振部信号の周波数をｆＬＯ１、他の発振部信号の周波数をｆＬＯ２とすると、比較部１４６は入力されたｆＲＥＦとｆＬＯ１／Ｍの２つの周波数の位相差に比例したパルス信号を出力する。ループフィルタ１４７は、比較部１４６が出力したパルス信号を低域濾波した電圧信号を出力する。この電圧信号がある電圧に収束した状況において、発振器１４８は安定した周波数ｆＬＯ１を第１発振部信号として出力する。このようなループ構成により、ｆＬＯ１は（数１）、ｆＬＯ２は（数２）で表される。【００５５】
（数１）ｆＬＯ１＝ｆＲＥＦ×Ｍ
（数２）ｆＬＯ２＝ｆＬＯ１／Ｐ＝ｆＲＥＦ×Ｍ／Ｐ
ここで、図７において基準信号ｆＲＥＦを４ＭＨｚとした場合の具体的な動作例を数値で示す。受信装置１１４がデジタル放送信号を受信する場合、受信周波数帯を５００ＭＨｚ〜５０６ＭＨｚ（日本国内における地上波放送の１８チャンネル）、ＩＦ信号群を０ＭＨｚ、他のＩＦ信号群を１０ＭＨｚとすると、発振部信号ｆＬＯ１は５０３ＭＨｚ（＝受信周波数帯の中心周波数）、他の発振部信号ｆＬＯ２は１０ＭＨｚとなる。従って、制御部１２４により制御される分周比Ｍは１２５．７５（＝５０３ＭＨｚ／４ＭＨｚ）、分周逓倍比Ｐは５０．３（＝５０３ＭＨｚ／１０ＭＨｚ）となる。【００５６】
一方、アナログ放送信号を受信する場合、受信周波数帯を５０６ＭＨｚ〜５１２ＭＨｚ（日本国内における地上波放送の１９チャンネル）、ＩＦ信号群を３．５ＭＨｚ、他のＩＦ信号群を１０ＭＨｚとすると、発振部信号ｆＬＯ１は５０５．５ＭＨｚ（＝受信周波数帯の下側０．５ＭＨｚ）、他の発振部信号ｆＬＯ２は１３．５ＭＨｚとなる。従って、制御部１２４により制御される分周比Ｍは１２６．３７５（＝５０５．５ＭＨｚ／４ＭＨｚ）、分周逓倍比Ｐは３７．４４４（≒５０５．５ＭＨｚ／１３．５ＭＨｚ）となる。【００５７】
なお、分周部１５０Ａおよび分周逓倍部１４４ＡにはフラクショナルＮ方式やΔΣ方式といった分数分周を実現する方法が用いられている。これらの方式を用いることにより、ｆＬＯ１とｆＬＯ２の設定分解能を格段に小さくすることが可能となる。【００５８】
この構成により、本実施の形態における他の発振部信号は、単一のＰＬＬ１１６から生成された発振部信号を分周逓倍して生成する。そのため、ＰＬＬ１１６に含まれるＶＣＯ（Ｖｏｌｔａｇｅ  Ｃｏｎｔｒｏｌｌｅｄ  Ｏｓｃｉｌｌａｔｏｒ）を、他の発振部信号を生成する目的として増加させることはない。すなわち、半導体プロセスの微細化に伴ってサイズ縮小効果の大きい分周逓倍回路（ロジック回路）を用いることができるので、受信装置を小型化することが可能となる。【００５９】
図８は、図７と異なる構成のＰＬＬ１１６を示すブロック図である。図８において、ＰＬＬ１１６は、基準信号が入力される比較部１４６と、比較部１４６の出力側に接続されたループフィルタ１４７とを備える。さらに、ＰＬＬ１１６は、ループフィルタ１４７の出力側に接続された発振器１４８を備える。発振器１４８は、第１発振部信号を生成して発振部信号を発振部信号出力端子１４９を介して第１混合部１３８に出力する。さらに、ＰＬＬ１１６は、発振器１４８の他の出力と比較部１４６の他の入力との間に接続された分周部１５０Ｂを備える。さらに、ＰＬＬ１１６は、発振器１４８と分周部１５０Ｂとの間に直列接続された分周逓倍部１４４Ｂを備える。分周逓倍部１４４Ｂは、発振部信号を分周または逓倍した他の発振部信号を発振部信号出力端子１５１を介して出力する。なお、分周部１５０Ｂに設定される分周比Ｍ’と分周逓倍部１４４Ｂに設定される分周逓倍比Ｐ’は、制御部１２４から制御される。図８に示す構成におけるｆＬＯ１は（数３）、ｆＬＯ２は（数４）で表される。【００６０】
（数３）ｆＬＯ１＝ｆＲＥＦ×Ｍ’×Ｐ’
（数４）ｆＬＯ２＝ｆＬＯ１／Ｐ’＝ｆＲＥＦ×Ｍ’
ここで、図８において、基準信号ｆＲＥＦを４ＭＨｚとした場合の具体的な動作例を数値で示す。なお、前述の図７の説明と同じ条件で、制御部１２４により設定される分周比Ｍ’と分周逓倍比Ｐ’を導出する。【００６１】
受信装置１１４がデジタル放送信号を受信する場合（受信周波数帯：５００ＭＨｚ〜５０６ＭＨｚ、ＩＦ信号群：０ＭＨｚ、他のＩＦ信号群：１０ＭＨｚ）、分周比Ｍ’は２．５（＝１０ＭＨｚ／４ＭＨｚ）、分周逓倍比Ｐ’は５０．３（＝５０３ＭＨｚ／１０ＭＨｚ）となる。【００６２】
一方、アナログ放送信号を受信する場合（受信周波数帯：５０６ＭＨｚ〜５１２ＭＨｚ、ＩＦ信号群：３．５ＭＨｚ、他のＩＦ信号群：１０ＭＨｚ）、分周比Ｍ’は３．３７５（＝１３．５ＭＨｚ／４ＭＨｚ）、分周逓倍比Ｐ’は３７．４４４（≒５０５．５ＭＨｚ／１３．５ＭＨｚ）となる。【００６３】
図８に示す構成における分周部１５０Ｂと分周逓倍部１４４Ｂの各々に設定される分周比Ｍ’と分周逓倍比Ｐ’を直列接続した合成分周比（＝Ｍ’×Ｐ’）は、ＰＬＬ１１６のループ構成において、図７で示した分周部１５０Ａの分周比Ｍと同様の機能を有している。【００６４】
すなわち、図８に示す構成により、他の発振部信号を生成する目的として分周逓倍部１４４Ｂを新たに設けることなく、発振部信号を生成する信号処理の過程として分周逓倍部１４４Ｂを設けている。したがって、分周部１４４Ｂでの分周比Ｍ’を比較的小さくすることができ、受信装置を小型化することが可能となる。【００６５】
なお、以上で説明した図７および図８の動作例では基準信号の周波数ｆＲＥＦを他のＩＦ信号群の周波数より低くする場合について述べた。しかし、このような動作条件とすることで、分周比Ｍ（Ｍ’）、分周逓倍比Ｐ（Ｐ’）が１以上となり、分周部１５０Ａ、１５０Ｂと分周逓倍部１４４Ａ、１４４Ｂは周波数逓倍を行う必要がない。すなわち、分周部１５０Ａ、１５０Ｂと分周逓倍部１４４Ａ、１４４Ｂは、分周のみを行う複雑でない回路を構成することができ、受信装置を小型化することが可能となる。【００６６】
次に、図９は、前述した図７および図８と異なる構成のＰＬＬ１１６を示すブロック図である。図９のＰＬＬ１１６は、図８の基準発振器１３７と比較部１４６との間に基準発振分周部１５４を備えた構成である。基準発振分周部１５４に設定される基準発振分周比Ｒは、制御部１２４から制御される。そして、基準発振分周部１５４は、基準発振器１３７から発振された発振信号をＲ分周した基準信号ｆＲＥＦを比較部１４６に入力する。【００６７】
図９に示す構成によれば、基準信号の周波数ｆＲＥＦを他のＩＦ信号群の周波数より低くしながら基準発振器１３７の発振周波数を高くすることが可能性となる。たとえば、基準発振器１３７に水晶発振子を用いた場合においては、受信装置の小型化が可能となる。【００６８】
（実施の形態３）
図１０は本発明の実施の形態３における受信装置を搭載した電子機器を示すブロック図である。図１０において、実施の形態１または実施の形態２で説明した受信装置１４、１１４を搭載した電子機器２０１は、出力端子２３、１２３に接続された復調部２０２と、復調部２０２の出力側に接続された復号部２０３と、復号部２０３の出力側に接続された表示部２０４とを備える。【００６９】
すなわち、各実施の形態で説明したアナログ放送信号とデジタル放送信号とを選択的に受信する受信装置１４、１１４を電子機器２０１に搭載することにより、表示部２０４の画質を向上を図り、電子機器２０１の小型化を図ることができる。
【産業上の利用可能性】
【００７０】
本発明は、アナログ放送信号とデジタル放送信号とを選択的に受信する受信装置において、アナログ放送信号受信時における受信品質を向上させることができるので、例えば、テレビ、車載用カーナビゲーション機器、または携帯端末などの電子機器に利用できる。
【図１】
2009128267.tif 000003
【図２】
2009128267.tif 000004
【図３】
2009128267.tif 000005
【図４】
2009128267.tif 000006
【図５】
2009128267.tif 000007
【図６】
2009128267.tif 000008
【図７】
2009128267.tif 000009
【図８】
2009128267.tif 000010
【図９】
2009128267.tif 000011
【図１０】
2009128267.tif 000012
【図１１】
2009128267.tif 000013
【国際調査報告】
2009128267.tif 000014
2009128267.tif 000015
2009128267.tif 000016
2009128267.tif 000017